(57)【要約】【課題】  瞳孔とレンズの光学中心を一致させるため他覚測定する瞳孔位置と被検者の視線とを考慮し簡単に視線を測定する記録装置を提供する。【解決手段】  ガイド本体１００にて被検者Ｐ１が掛けた眼鏡のフレーム９００に対して上下左右前後に移動自在にして検者からみた被検者の瞳孔位置を他覚測定して第１のマーキング部５０６として記録し、被検者Ｐ１側から見た視線を自覚測定して第２のマーキング部５１６として記録し、検者Ｐ２は被検者Ｐ２にガイド本体１００を上下左右に移動させて第１のマーキング部５０６と第２のマーキング部５１６で行ったマーキングとが一致するかどうかを問診して、被検者Ｐ１の眼鏡のフレーム９００のダミーレンズ９２０上に一致した左右の瞳のそれぞれの視線経由点を複数マーキングして記録する第３のマーキング部５０５を有して、第２のマーキング部５１６で行ったマーキングを補正する。【選択図】図１
2008173306.tif 000002
【特許請求の範囲】
【請求項１】
被検者が掛けた眼鏡のフレームに対して上下左右前後に移動自在なガイド本体と、ガイド本体に取り付けられた一対の縦軸と、この縦軸に交叉する横軸に取り付けられた一対の水平移動子と、各縦軸上を移動する垂直移動子と、横軸に取り付けられた前後位置調整部と、各縦軸に取り付けられたポインターとを備えており、前記ポインターは、検者から見た被検者の左右の瞳のそれぞれの瞳孔位置を他覚測定して記録するポインターと被検者側から見た視線を自覚測定して記録するポインターとにより構成され、他覚測定して第１のマーキング部として記録し、被検者側から見た視線を自覚測定して第２のマーキング部として記録し、検者は被検者に前記ガイド本体を上下左右に移動させて第１のマーキング部と第２のマーキング部で行ったマーキングとが一致するかどうかを問診して、被検者の眼鏡のフレームのダミーレンズ上に一致した左右の瞳のそれぞれの視線経由点を複数マーキングして記録する第３のマーキング部を有して、第２のマーキング部で行ったマーキングを補正することを特徴とする視線測定記録装置。
【請求項２】
前記ガイド本体は被検者が掛けた眼鏡のフレーム上から被検者頭部にかぶり額から前記眼鏡のフレーム前に空間を介して位置し上下左右前後に移動自在であることを特徴とする請求項１記載の視線測定記録装置。
【請求項３】
前記ポインターは透明板でできており、前記第１のマーキング部のマーキングは前記透明板の表面に記録し、第２のマーキング部のマーキングは透明板の裏面に記録してなることを特徴とする請求項１または請求項２記載の視線測定記録装置。
【発明の詳細な説明】
【技術分野】
【０００１】
本発明は、眼鏡を作る際に、レンズの光学中心と、眼鏡の使用者の視線中心とを合致させる視線測定記録装置に関するものである。
【背景技術】
【０００２】
眼鏡の主要構成部材はフレームとレンズとであるが、フレームはファッション性を中心として選択され、レンズは使用者の視力に応じて選択されるものである。眼鏡において重要なポイントは、光軸中心が主体である使用者の目と外部装着する眼鏡の２つの光学系が使用者の見る両眼或いは片眼しか見えない場合でも目の光学系の光軸上で一致すること、すなわち視線上において合致することである。眼鏡レンズはレンズのどこで見ても同一の度数で無く、光学中心が視線からずれていると、視力にあった屈折度数であっても、度数とずれた距離に相関したプリズム度数が発生する。これは光学理論プロンテスの公式により解明されており、視線から外れた距離から発生するプリズム度数は、数式により簡単に求められる。この公式により目に入射する像は、レンズ光軸を外れればその度数により生じるプリズムにより簡単にずれ、また左右眼の屈折度数差があれば簡単にプリズム差すなわち網膜上の黄班中心窩における結像位置が異なる、すなわち右左で見る像の位置がずれて見える。そのずれは脳が感知し眼球の外側に付く左右夫々６本の眼外筋を無意識に動かし左右の目で生じるずれを打ち消し像を一つに見ようとするため眼外筋に無理がかかり、これら眼外筋への異常な負担は違和感、眼精疲労、眼痛、肩こり、頭痛、全身的な倦怠感を引き起こし、長期使用により後天的な斜視などを引き起こすことが知られている。またこれらレンズ光学中心のずれによる入射光の異常な屈折は、目に入射し導かれるべき直径２ミリほどの黄班中心窩に正しく結像できない場合視力が悪くなる。
【０００３】
眼鏡がこのような問題を引き起こす原因は、レンズ中心や視線が透明で不可視なこと、また使用者の顔の形に同じものはなく、使用者の生活習慣などにより視線位置は異なるなどにもかかわらず、視線測定することなく伝承的な瞳孔中心という検者の外観検査による位置へレンズ外周加工しレンズ中心を任意に合わせ眼鏡枠に取り付けるため目に合わないのである。眼球は一つの光学系をなし、その上から外部装着する眼鏡レンズも一つの光学系をなし、２つの光学系の光軸は光学的に同一線上に合わされなければならない。求めるべき光軸を、被検者側からの外部観察した瞳孔位置と考えるのは論理的飛躍があり、被検者の黄班中心窩に通ずる視線を装着予定のフレーム上両眼視或いは片眼視の場合にもその眼鏡フレーム上に視線経由点を測定しない場合夫々の光学系光軸は一致せず上記のような問題を引き起こす。光学中心と瞳孔中心とを合致させることを目的としたものは、特許文献１にあるように、フレームを掛けた使用者の顔を画像として取り込み、瞳孔中心を確定する方法を本願発明者が提案している。
【０００４】
【特許文献１】特開２００１−２１８７３９号公報
【発明の開示】
【発明が解決しようとする課題】
【０００５】
ところが、特許文献１では、光学中心と瞳孔中心とを合致させることを目的としてフレーム上における瞳孔中心を確定する測定装置は、図１２に示す瞳孔中心確認記録装置による測定作業の原理のように求めるべき被検者の見る方向などにより視線とは異なり、被検者が見る視線のレンズ通過点と検者の観察する外観検査位置とずれることが多い。
【０００６】
また、使用者の視線を大別すると、使用者が３〜５メートル以上の遠景を見る遠見と読書などを行う近見とがある。眼鏡枠上の視線経由点を両眼の場合、両眼前にそれぞれ示す測定環境と対比色の仮想光学中心円を左右の眼前に置き目視させ、目的方向と距離に置かれたスクリーンに融像視により一円に重なり左右交互に遮蔽し同一高さに見えた時、あるいは片眼の場合仮想光学円が見ようとする方向に仮想光学円を通して見えた視線の中心を求める。なお、以下の説明では、このように検者が被検者の瞳を外部観察した瞳孔中心の位置を前段階の他覚的瞳孔中心とし、使用者が見て測定される位置を自覚的視線中心とよぶ。
【０００７】
この他覚的瞳孔中心と自覚的な視線中心とは、５〜６ｍｍ程度ずれることが多い。このため、前記公報の方法でも、被検者の見る視線中心によった眼鏡を作ることはできず、使用者はいったいそれが自身の眼とあっているか確認できないのが現状である。
【０００８】
本発明は上記事情に鑑みて創案されたもので、使用者の視線とレンズの光学中心とを一致させるために他覚的な瞳孔中心と自覚的な視線中心とを考慮し簡単に視線を測定する視線測定記録装置を提供することを目的としている。
【課題を解決するための手段】
【０００９】
本発明に係る視線測定記録装置は、被検者が掛けた眼鏡のフレームに対して上下左右前後に移動自在なガイド本体と、ガイド本体に取り付けられた一対の縦軸と、この縦軸に交叉する横軸に取り付けられた一対の水平移動子と、各縦軸上を移動する垂直移動子と、横軸に取り付けられた前後位置調整部と、各縦軸に取り付けられたポインターとを備えており、前記ポインターは、検者から見た被検者の左右の瞳のそれぞれの瞳孔位置を他覚測定して記録するポインターと被検者側から見た視線を自覚測定して記録するポインターとにより構成され、他覚測定して第１のマーキング部として記録し、被検者側から見た視線を自覚測定して第２のマーキング部として記録し、検者は被検者に前記ガイド本体を上下左右に移動させて第１のマーキング部と第２のマーキング部で行ったマーキングとが一致するかどうかを問診して、被検者の眼鏡のフレームのダミーレンズ上に一致した左右の瞳のそれぞれの視線経由点を複数マーキングして記録する第３のマーキング部を有して、第２のマーキング部で行ったマーキングを補正することを特徴とする。
【００１０】
さらに、本発明に係る視線測定記録装置は、前記ガイド本体は被検者が掛けた眼鏡のフレーム上から被検者頭部にかぶり額から前記眼鏡のフレーム前に空間を介して位置し上下左右前後に移動自在であることを特徴とする。
【００１１】
さらに、本発明に係る視線測定記録装置は、前記ポインターは透明板でできており、前記第１のマーキング部のマーキングは前記透明板の表面に記録し、第２のマーキング部のマーキングは透明板の裏面に記録してなることを特徴とする。
【発明の効果】
【００１２】
本発明に係る視線測定記録装置は、被検者が掛けた眼鏡のフレームに対して上下左右前後に移動自在なガイド本体と、ガイド本体に取り付けられた一対の縦軸と、この縦軸に交叉する横軸に取り付けられた一対の水平移動子と、各縦軸上を移動する垂直移動子と、横軸に取り付けられた前後位置調整部と、各縦軸に取り付けられたポインターとを備えており、前記ポインターは、検者から見た被検者の左右の瞳のそれぞれの瞳孔位置を他覚測定して記録するポインターと被検者側から見た視線を自覚測定して記録するポインターとにより構成され、他覚測定して第１のマーキング部として記録し、被検者側から見た視線を自覚測定して第２のマーキング部として記録し、検者は被検者に前記ガイド本体を上下左右に移動させて第１のマーキング部と第２のマーキング部で行ったマーキングとが一致するかどうかを問診して、被検者の眼鏡のフレームのダミーレンズ上に一致した左右の瞳のそれぞれの視線経由点を複数マーキングして記録する第３のマーキング部を有して、第２のマーキング部で行ったマーキングを補正するので、真の視線を眼鏡フレームのリム空間にはめられたダミーレンズを提供することができる。
【００１３】
さらに、本発明に係る視線測定記録装置は、前記ガイド本体は被検者が掛けた眼鏡のフレーム上から被検者頭部にかぶり額から前記眼鏡のフレーム前に空間を介して位置し上下左右前後に移動自在とすることにより、被検者瞬きなどに左右されず軽量で正確な視線測定記録ができる。
【００１４】
さらに、本発明に係る視線測定記録装置は、前記ポインターは透明板でできており、前記第１のマーキング部のマーキングは前記透明板の表面に記録し、第２のマーキング部のマーキングは透明板の裏面に記録しすることにより、ダミーレンズに視線記録をするマーキングのみを記録することができる。
【発明を実施するための最良の形態】
【００１５】
図１は本発明の実施の形態に係る視線測定記録装置の概略的正面図、図２は本発明の実施の形態に係る視線測定記録装置を説明する概略的側面図、図３は本発明の実施の形態に係る視線測定記録装置のアジャスターの要部を示す概略的正面図、図４は本発明の実施の形態に係る視線測定記録装置のアジャスターの要部を示す概略的側面図、図５は本発明の実施の形態に係る視線測定記録装置のポインター連結の概略的正背面図、図６は本発明の実施の形態に係る視線測定記録装置のポインターの概略的分解斜視図、図７は本発明の実施の形態に係る視線測定記録装置のポインターの概略的分解正背面図、図８は本発明の実施の形態に係る視線測定記録装置に用いるシールの概略的平面図、図９は本発明の実施の形態に係る視線測定記録装置に用いる第３記録マーカーの概略的側面図、図１０は本発明の実施の形態に係る視線測定記録装置の概略的上面図、図１１は本発明の実施の形態に係る視線測定記録装置の頭部取付けベルトとガイド本体連結の概略的側面図である。左右のアジャスター及びポインターの機構は対称に現れるので片側の説明は省略する。
【００１６】
被検者は生活習慣や癖により顔向きが常に正面を向くとは限らない。この改善策として、測定装置を額帯式にし、測定装置の重量を眼鏡に負担しない方法がある。図２はこの方法による測定装置の実装形態を示すための説明図である。被検者は顔にこれから使用しようとする眼鏡枠を顔に掛け、検者は被検者の要望などにより眼鏡枠を顔に調整した後顔に掛け、次に頭部から装置をかぶり測定部を装着眼鏡前で前後左右自由に眼鏡枠に接近可能に考案された測定装置を被検者の装着する眼鏡枠に直接接触することなく空間を介して位置する。この場合、特許文献１のようにダミーレンズにマーキングする構成でもよいが、他覚及び自覚を一枚の透明板の表裏に位置する構成でもよい。自覚と他覚を、検者が切り替えるようになっているが、一旦他覚位置を測定し次に自覚位置に切り替えるのであれば、透明なアクリルなどのプラスチックやガラスの板に表側に他覚すなわち瞳の色と対比しやすい色でマーキングできるようにし、裏側に被検者が見る環境下で対比色の認識リングとの２つ表裏に別々に印刷すれば済む。
【００１７】
一般に屈折度数レンズが光軸中心からずれたときのプリズム度数δは、プロンテスの数式１によって求まるということが光学的にすでにわかっている。
【００１８】
〔数式１〕
δ＝ｈＤ／１０
δ  目に生ずるプリズム度（プリズムディオプター）
Ｍ  目で見たとき対象物がずれる距離（１δは１メータ先の像が１ｃｍずれる）
ｈ  目とレンズの中心からずれた距離（ｍｍ）
Ｄ  ディオプター（レンズの度数）
【００１９】
【表１】
2008173306.tif 000003
【００２０】
このような光学系の実装形態を採用したので目と眼鏡の２つの光学系すなわち光軸を一致させれば、光学上の特性を実効的に劣化することなく、外部入射する光線は眼鏡レンズを経由しても光軸中心を維持するため見ようとする目的像はプリズム作用によりずれることなく黄班中心窩に導くことができる。従って、被検者は両眼視しても左右の目にずれが生じることなく、黄班中心窩に結像させることができるので視力を悪くすることがなくなる効果がある。
【００２１】
図２において、ポインターに取付けた第３マーキング部における複数の記録用ポインターにより、遠用と近用などを同時に測定記録でき、遠近両用または中近両用目的の多焦点レンズ決定に供する測定が可能である。例えば遠用測定する場合は左右一対と、近用測定する場合は一対に各々切替えて使用できる。
【００２２】
主体である眼鏡使用者の眼の光軸すなわち視線測定の精度を確保するためには、操作条件の良いことが要となるので、この切替え機能は視線測定記録装置の操作性向上と測定範囲対象の拡大におおいに役立つ。  ポインターに取付けた記録用ポインターを用いて容易に遠近の選択ができ、第１、第２マーキング部は透明板の前後に夫々の測定目的を妨げることなく取り付けることにより、切り替えて行う測定作業が一度に行えられる。
【００２３】
生活習慣に応じたそれぞれの視線に対し。本発明の実施の形態に係る視線測定記録装置は、被検者Ｐ１が掛けた眼鏡のフレーム９００の前面に被検者の額から空間を介し取り付けられるガイド本１００と、このガイド本体１００に移動可能に取り付けられた左右それぞれ一対の水平移動子３００と垂直移動子５００に取り付けられた透明板からなるポインター５５０とを備えており、前記ポインター５５０は、検者Ｐ２からみた被検者Ｐ１の左右の瞳Ｅのそれぞれの瞳孔中心（他覚的瞳孔中心Ｅ１）を、被検者Ｐ１が掛けた眼鏡のフレーム９００に取り付けられたダミーレンズ９２０の上にマーキングする第１のマーキング部５０６と、被検者Ｐ１の左右の瞳Ｅの前にそれぞれ被検者が目的方向に対比的に着色され見えるようにした２マーキング５１３（図８参照）を示す第２のマーキング部と、前記同じ２マーキング５１３が重なるように前記アジャスター３０１と同アジャスター３０２を移動させ、前記同じ２マーキング５１３が重なって見えた位置で、前記ダミーレンズ９２０の上に左右の瞳Ｅのそれぞれの瞳孔中心（自覚的瞳孔中心Ｅ２）を示すマーキングを行う第３のマーキング部５０５とを有しており、前記第１〜第３のマーキング部５０６、５１６、５０５は、軸ピン５０２を中心に同一円周上を移動し、同一位置で固定できるようになっている。
【００２４】
まず、前記ガイド本体１００は、被検者が掛けた眼鏡のフレーム９００の前面に被検者の額から空間を介すための額帯ベルト１１１を有している。この連結部１９０は、フレーム９００の前に空間を介する部分でフレーム９００は空間を介し被検者の前とガイド本体１００の後ろに位置しガイド本体及びそれに繋がる測定部５０６、５１３、５０５夫々のマーキング部を可能な限りダミーレンズ９２０に前後に移動し接近させ測定と記録作業が容易になるようになっている。
【００２５】
このため、ガイド本体取り付け部２０７は、額帯ベルト１１１に取り付けられた取付板２１０に取り付けられた両側切削ボルト２０１が移動子２００貫通させた状態で、弾性反発するバネ２１２とナット２０２とで挟まれ定位置固定できる（図２参照）。連結部１９０は、ボールジョイント部２０３を有し球受け固定側２０４からガイド本体取り付け部２０７が設けられている。ボールジョイント部は球受け固定側２０４と球受け浮動側２０５で挟まれ、またガイド本体取り付け部２０７に形成された爪２０８を支点とする梃子の原理により蝶ネジ２０６により締め付けボールジョイントを中心にガイド本体１００を前後左右自在にフレーム９００に傾けて接近させることにより、横軸２０９に取り付けられてなる前後位置調整部を構成している（図１１参照）。
【００２６】
一方、前記額帯ベルト１１１は両終端において一方はバンド止め１２３で額帯ベルト終端を内包するように形成され、一方は取り付けられた留め金具１２０に設けられた軸１２１を基点に内側にある額帯ベルト１１１を弾性反発するバネ１２２により固定することで額帯ベルト１１１の長さを被検者Ｐ１の頭部に伸縮可能にあわせることができる(図１０参照)。
【００２７】
また前記額帯ベルト１１１に設けられた取付板２１０の両側に設けられた一対のピンヘッド１０２に設けられたピン縦軸１０３は額受板１０１に連結し一体となっている。額帯ベルト１１１及び取付板２１０にあけられた貫通穴１０４の内径はピン縦軸１０３の外径より大きく、本視線測定記録装置を被検者Ｐ１の頭部装着したとき顔筋肉などの表情変化により装置の位置変化を切り離し防止することができる。
【００２８】
上記額帯ベルト１１１から両側切削ボルト２０１、移動子２００、ボールジョイント部２０３を経てガイド本体取り付け部２０７に連なり、ガイド本体取り付け部２０７からガイド本体１００が連結されている。このガイド本体１００は一本の横軸２０９が設けられており、左右一対の水平移動子３００と垂直移動子５００の先端に透明版でできたポインター５５０で構成されている。（図１参照）ガイド本体１００には水平移動子３００と垂直移動子５００が設けられており、横軸２０９は両端の水平調節アジャスター３０２を回転することにより水平移動子３００を左右方向の移動に利用され、水平移動子３００に連なる縦軸３０５には垂直移動子５００が設けられ、垂直移動子の先端に透明板でできたポインター５５０が設けられ、この垂直移動子５００は水平移動子３００の上部に取り付けられた垂直移動アジャスター３０１を回転することにより垂直移動子５００を上下方向の移動に利用される構造である（図３参照）。
【００２９】
このように、ガイド本体１００は、ガイド本体取り付け部２０７から一本の横軸２０９に取り付けられた一対の水平移動子３００と縦軸３０５に連結する一対の移動子５００とそれぞれ連結するポインター５５０とで門状に構成されている。
【００３０】
一方、前記アジャスター３０２は、図３に示すように、横方向に１本のパイプ状の横軸２０９を開設し、パイプ状の横軸２０９は内部に左右夫々横軸２０９の中央で切断独立し回転可能な左右一対のボルト３１０を有し、水平アジャスター３０２の回転は水平移動子３００に設けられた雌ねじ受け３１１に伝わり横軸２０９に開けられたガイド穴３１２に沿って水平移動子３００は左右方向に移動する。
【００３１】
前記一対の移動子３００に連結する縦軸３０５は、図３に示すように、パイプ状の縦軸３０５を開設し、パイプ状の縦軸３０５は内部に回転可能なボルト３０８を有し、垂直アジャスター３０１の回転は垂直移動子５００に設けられた雌ねじ受け３０９に伝わり縦軸３０５に開けられたガイド穴３１３に沿って垂直移動子５００は上下方向に移動する。
【００３２】
さらに、前記ポインター５５０は、図５に示すように、前記垂直移動子５００の先端に設けられたポインター５５０を有し、ポインター５５０の外周に４５°間隔で突出形成された切り込み514が形成されており、垂直移動子５００の内側には、内蔵されたスプリング５１１で内側に向かって弾発付勢された小球体５１２がある。
【００３３】
またポインター５５０は、図６と７に示すように透明で表裏夫々にリング状の第一マーカー５０６と第２のマーキング５１３及び第３のマーキング部５０５とを有している。
【００３４】
また、５０６、５１３、５０５夫々のマーキング部中心から軸ピン５０２までの長さはすべて等しく設定されている。なお、ポインター５５０は、回動の際に外周を摘み回転する。
【００３５】
かかるポインター５５０上の３つの測定部のうち、中段には、前記第１のマーキング部５０６が設けられている。この第１のマーキング部５０６は、検者Ｐ２が被検者Ｐ１の瞳Ｅの瞳孔中心（他覚的瞳孔中心Ｅ１）を確認することができる程度の大きさの円と十字が印刷されたマーキング部５０６を有する。
【００３６】
また、上記第１のマーキング部５０６の反対側には、被検者Ｐ１が見るときに視野を妨げない程度の大きさの着色円を有する第２のマーキング５１３が設けられている。この第２のマーキング５１３は、第１のマーキング部５０６に妨げにならない同じ大きさで形成された略リング状のものであり、前記開口部５２０には中央が透明で周囲が被検者の見る対比色で着色されたリングとなった第２のマーキング５１３を有する。
【００３７】
さらに、ポインター５５０の上下２つのシール押込みノブ５０５は先端に縦軸２０９を有し縦軸外径はシール３４２Ｃの内径と同じで脱落しないようになっている。この第３のマーキング部５０５には、図８に示すように、前記第２のマーキング５１３と同じ模様、すなわち中央が透明で測定環境に対し反対色のシール３４２Ｃが取り付けられている。なお、このシール３４２Ｃには、自覚的視線中心Ｅ２を確認する際の目安となる十字状のレティクル３４２Ｄが印刷されている。
【００３８】
上述したように、３つの測定部５０６、５１３、５０５は、その長さが等しく設定されており、かつ前記ポインター５５０の外周に４５°間隔で突出形成された切り込み５１４が形成されているため、ポインター５５０を回動させると、同一円周上を移動し、同一位置で固定できるようになっている。
【００３９】
次に、上述したような構成の視線測定記録装置による瞳孔中心の確認作業について説明する。  まず、被検者Ｐ１である眼鏡の使用者である被検者Ｐ１が選択した眼鏡のフレーム９００を顔に掛け、頭部に視線測定記録装置をかぶりガイド本体１００をフレーム９００の前に空間を介して固定する。すなわち、被検者Ｐ１と視線測定記録装置の間にフレーム９００を挟み込むようにガイド本体１００を空中固定するのである。なお、このフレーム９００のレンズ枠部９１０には、予めダミーレンズ９２０が取り付けられている。
【００４０】
次に、被検者Ｐ１は、図１５示すように、眼鏡のフレーム９００を掛け視線測定記録装置をフレーム９００の前に位置させ測定しフレーム９００のリム部上にあるダミーレンズ９２０にシール３２４Ｃを貼り付ける。この際、フレーム９００は、眼鏡の通常の使用と同じ位置に掛けることが重要である。
【００４１】
図６に示すように、ポインター５５０を回動させて第１のマーキング部５０６が設けられた垂直移動子５００に設けられた水平線５１５と他覚測定ポインター５０６が水平になるようにする。この状態で、一対の垂直アジャスター部３０１と水平アジャスター部３０２部を上下左右に調整することで、図１０（Ａ）に示すように、検者Ｐ２からみて第１のマーキング部５０６を瞳Ｅの瞳孔中心Ｅ１（他覚的瞳孔中心）に一致させる。これを、左右の瞳Ｅについて行う。この段階で、他覚的瞳孔中心測定に留まる。
【００４２】
この状態で、被検者Ｐ１に目的に応じた遠用或いは近用の距離にある白色スクリーンや白紙を、上記第１のマーキング部５０６の反対側にある第２のマーキング５１３は測定環境対比色であり第２のマーキング５１３を通して被検者Ｐ１に見させ、図１２のように外部観察された他覚的瞳孔中心Ｅ１は自覚的な視線とは少し異なるので図１６の１或いは２のように見えれば、被検者Ｐ１との問診で調整移動し目的に応じた遠用或いは近用の距離にある白色スクリーンや白紙の正面に映る仮想円Aのように１つに重なって見えるように一対の垂直アジャスター部３０１と水平アジャスター部３０２部を被検者Ｐ１との問診で調整移動させ、仮想円が重なるようにする。
【００４３】
この時被検者Ｐ１が両眼視する場合左右で見る高さが同一である必要が有る。そこで上記状態のまま図１７のように遮眼子Ｓを被検者Ｐ１が片手で持つ或いは検者Ｐ２が左右交互に遮蔽し被検者Ｐ１が目に映り一時的に脳に記憶された仮想円の高さを比較し同一になるまで問診により一対の垂直アジャスター部３０１と水平アジャスター部３０２部を上下左右に調整し重なった位置が視線中心Ｅ２である（図１２参照）。この左右眼遮蔽による被検者Ｐ１の見る仮想円は、利き目側では不動で、反対側は左右に移動するが、立体視を行うため人体に自然に備わる機能で、左右遮蔽測定の場合は高さだけに限られる。被検者Ｐ１の見る正面は、効き目側に位置する場合が多いことが知られている。
【００４４】
一対の垂直アジャスター部３０１と水平アジャスター部３０２部を２つの第２のマーキング５１３を通して目的に応じた遠用或いは近用の距離にある白色スクリーンや白紙に見える仮想中心円が重なって見えた位置で固定し、そのまま第２のマーキング部５１６を第３のマーキング部５０５に変える（図１４参照）。そして、図９に示すように、第３のマーキング部５０５の先端５０９にシール３４２Ｃを左右のダミーレンズ９２０の上に貼り付ける。このシール３４２Ｃが貼り付けられた位置が、被検者Ｐ１の両眼の視線が目的に応じた使用眼鏡上の左右のダミーレンズ９２０上を経由した視線中心Ｅ２である。
【００４５】
ダミーレンズ９２０に貼り付けられたシール３４２Ｃの透明な部分の中心のフレーム９００のレンズ枠部９１０における座標（自覚的視線中心Ｅ２の座標）を測定する。この測定は、従来からあるチャート等によって可能である。これによって得られた座標データをレンズ加工装置に入力し、加工されたレンズの光学中心が前記座標に一致するようにレンズ外周を加工する。このようにして加工されたレンズの光学中心は、被検者Ｐ１（使用者）の両眼視線中心Ｅ２と必ず一致する。
【００４６】
なお、上述した実施の形態では、眼鏡のフレームに適用したが、斜視の測定や視線の向きがその成績に大いに係わる射的スポーツなど、視線位置特定が不可欠な用途にも応用することができる。
【００４７】
また、遠近両用眼鏡のレンズには、遠くを見る場合の光学中心と、近くを見る場合の光学中心とがあるが、この視線測定記録装置は複数の第３のマーキング部５０５を備えられるため遠くや近くなど同時に複数測定可能である。またパソコン使用など生活習慣に応じたそれぞれの対象物に対する視線を合致させることも容易である。
【図面の簡単な説明】
【００４８】
【図１】本発明の実施の形態に係る視線測定記録装置の概略的正面図である。
【図２】本発明の実施の形態に係る視線測定記録装置を説明する概略的側面図である。
【図３】本発明の実施の形態に係る視線測定記録装置のアジャスターの要部を示す概略的正面図である。
【図４】本発明の実施の形態に係る視線測定記録装置のアジャスターの要部を示す概略的側面図である。
【図５】本発明の実施の形態に係る視線測定記録装置のポインター連結の概略的正背面図である。
【図６】本発明の実施の形態に係る視線測定記録装置のポインターの概略的分解斜視図である。
【図７】本発明の実施の形態に係る視線測定記録装置のポインターの概略的分解正背面図である。
【図８】本発明の実施の形態に係る視線測定記録装置に用いるシールの概略的平面図である。
【図９】本発明の実施の形態に係る視線測定記録装置に用いる第３記録マーカーの概略的側面図である。
【図１０】本発明の実施の形態に係る視線測定記録装置の概略的上面図である。
【図１１】本発明の実施の形態に係る視線測定記録装置の頭部取付けベルトとガイド本体連結の概略的側面図である。
【図１２】特許文献１に記載する瞳孔中心確認記録装置による測定作業の原理を示す概略的説明図である。
【図１３】本発明の実施の形態に係る視線測定記録装置による瞳孔中心の確認作業の原理を示す概略的正面図である。
【図１４】本発明の実施の形態に係る視線測定記録装置による視軸中心の記録作業を示す概略的正面図である。
【図１５】本発明の実施の形態に係る視線測定記録装置を被検者の頭部装着作業を示す概略的側面図である。
【図１６】本発明の実施の形態に係る視線測定記録装置を用い被検者が見る確認作業を示す概略的説明図である。
【図１７】本発明の実施の形態に係る視線測定記録装置を用い被検者が見る確認作業を示す概略的説明図である。
【符号の説明】
【００４９】
１００  ガイド本体
２００  アジャスター
２０９  横軸
３００  水平移動子
３０１  垂直アジャスター
３０２  水平アジャスター
３０５  縦軸
５００  垂直移動子
５０５  第３のマーキング
５０６  第１のマーキング部
５１３  第２のマーキング
５１６  第２のマーキング部
９００  フレーム
９２０  ダミーレンズ
Ｐ１    被検者
Ｐ２    検者
【図１】
2008173306.tif 000004
【図２】
2008173306.tif 000005
【図３】
2008173306.tif 000006
【図４】
2008173306.tif 000007
【図５】
2008173306.tif 000008
【図６】
2008173306.tif 000009
【図７】
2008173306.tif 000010
【図８】
2008173306.tif 000011
【図９】
2008173306.tif 000012
【図１０】
2008173306.tif 000013
【図１１】
2008173306.tif 000014
【図１２】
2008173306.tif 000015
【図１３】
2008173306.tif 000016
【図１４】
2008173306.tif 000017
【図１５】
2008173306.tif 000018
【図１６】
2008173306.tif 000019
【図１７】
2008173306.tif 000020